(57)【要約】【課題】アレスタにしっかりと固定でき、鳥が営巣のため運んでくる小枝や針金等の棒状物の侵入も完全に防ぐことができるようにしたアレスタカバーを提供する。【解決手段】充電部を覆うキャップ体３８に被着される小径筒部１と該小径筒部１に同一軸線上で連通しアレスタ本体３６ａに被着される大径筒部２とからなり、周壁５における軸線と平行な一側縁をヒンジ部７とすると共に他側縁を切り離し、ヒンジ部７を中心として切り離し部８を自在に開閉できるようにし、切り離し部８の両側にそれぞれ鍔片９，９を延設し、いずれか一方の鍔片９に複数の係合爪１０を列設した係合帯片１１を突設し、他方の鍔片９に係合帯片１１が挿通されいずれかの係合爪１０と係合し得る係合孔１２を開設し、係合帯片１１を係合孔１２に挿通すると共に係合爪１０の係合位置を変更して前記切り離し部８の間隔が広挟自在に調整できるようにした。【選択図】図５
2007335246.tif 000002
【特許請求の範囲】
【請求項１】
アレスタ本体から突出した充電部を覆うキャップ体に被着される小径筒部と該小径筒部に同一軸線上で連通し前記アレスタ本体に被着される大径筒部とからなり、周壁における前記軸線と平行な一側縁をヒンジ部とすると共に他側縁を切り離し、前記ヒンジ部を中心として前記切り離し部を自在に開閉できるようにしたアレスタカバーであって、
前記切り離し部の両側にそれぞれ鍔片を延設し、いずれか一方の鍔片に複数の係合爪を列設した係合帯片を突設し、他方の鍔片に前記係合帯片が挿通され前記いずれかの係合爪と係合し得る係合孔を開設し、前記係合帯片を前記係合孔に挿通すると共に前記係合爪の係合位置を変更することにより前記切り離し部の間隔が広挟自在に調整できるようにしたことを特徴とするアレスタカバー。
【請求項２】
前記小径筒部と大径筒部との間の内周面に沿って、内周端縁が前記キャップ体の外周面に当接して鳥が営巣のため運んでくる小枝や針金等の棒状物の充電部への侵入を防ぐ侵入防止片を周設した請求項１記載のアレスタカバー。
【請求項３】
前記小径筒部と大径筒部とにおける軸線方向での外端面の各開口の内周縁に沿って、それぞれ所定間隔の切り溝で離隔され先端側が前記各開口よりも外側へ張り出し前記キャップ体やアレスタ本体の外周面に当接する複数の舌状片を列設した請求項１又は２記載のアレスタカバー。
【請求項４】
前記侵入防止片は連続して環状に設けられると共にその内周端縁に沿って所定の間隔離し複数の切欠を設け、前記軸線方向から投影した場合、前記各切欠は前記小径筒部と大径筒部との各切り溝よりも位置がずれている請求項３記載のアレスタカバー。
【請求項５】
前記各舌状片間に設けられる切り溝の奥端部は、前記小径筒部と大径筒部との周壁内面にまで達している請求項３又は４記載のアレスタカバー。
【発明の詳細な説明】
【技術分野】
【０００１】
本発明は、電柱上に設置された避雷用アレスタに被着するアレスタカバーに関するものである。
【背景技術】
【０００２】
従来、本出願人はこの種アレスタカバーとして次のような構成のものを開発した。すなわち、該アレスタカバーは、例えば電柱上の腕金の上面に立設したアレスタに被着され、その充電部を覆うキャップ体との間に所要の空間が保持されるようにして該キャップ体を覆う大径筒部と、該大径筒部の上端に連設され前記キャップ体から上方へ突設されるリード付きコネクタの下部を覆う小径筒部とからなる。前記小径筒部は上端面が開口し、その内周面には前記リード付きコネクタの下部外周面に突設したリブが係合する係合溝が設けられる。また、大径筒部の下端面も開口している。これにより、アレスタカバーが、その小径筒部を前記リード付きコネクタに被着して宙吊状態に固定される（例えば、特許文献１参照。）。
【０００３】
【特許文献１】特許第２６０９９９２号公報（第２頁、図５、図７）
【発明の開示】
【発明が解決しようとする課題】
【０００４】
一般に、アレスタは、そのサイズが大きさ・形状によって２０〜３０種類と多くの種類に分かれており、前記特許文献１のアレスタカバーはアレスタのサイズに合わせて用意する必要があるが、２０〜３０種類ものアレスタカバーを用意して被着するアレスタに合わせて使い分けることは現実的でない。そこで、２０〜３０種類のアレスタを数種類のサイズ区分に分けて、そのサイズ区分毎にアレスタカバーを製作することが考えられるが、設定したサイズ区分の中で小さいサイズのアレスタに対しては、キャップ体やアレスタ本体とアレスタカバーの大径筒部との間の空間が大きく開く可能性がある。しかも、大径筒部の下端面が開口していることから、アレスタカバーの取付状態が不安定になったり、鳥が営巣のため運んでくる小枝や針金等の棒状物が大径筒部の下端開口を介して侵入する危険性があるという改良すべき点が残っていた。
【０００５】
そこで、本発明は上記改良点に鑑みてなされたもので、アレスタに緩むことなくしっかりと固定でき、鳥が営巣のため運んでくる小枝や針金等の棒状物の侵入も完全に防ぐことができるようにしたアレスタカバーを提供することを目的とするものである。
【課題を解決するための手段】
【０００６】
かかる目的を達成するため本発明に係るアレスタカバーは、アレスタ本体から突出した充電部を覆うキャップ体に被着される小径筒部と該小径筒部に同一軸線上で連通し前記アレスタ本体に被着される大径筒部とからなり、周壁における前記軸線と平行な一側縁をヒンジ部とすると共に他側縁を切り離し、前記ヒンジ部を中心として前記切り離し部を自在に開閉できるようにしたアレスタカバーであって、前記切り離し部の両側にそれぞれ鍔片を延設し、いずれか一方の鍔片に複数の係合爪を列設した係合帯片を突設し、他方の鍔片に前記係合帯片が挿通され前記いずれかの係合爪と係合し得る係合孔を開設し、前記係合帯片を前記係合孔に挿通すると共に前記係合爪の係合位置を変更することにより前記切り離し部の間隔が広挟自在に調整できるようにした。
【０００７】
この際、前記小径筒部と大径筒部との間の内周面に沿って、内周端縁が前記キャップ体の外周面に当接して鳥が営巣のため運んでくる小枝や針金等の棒状物の充電部への侵入を防ぐ侵入防止片を周設することが好ましい。
【０００８】
また、前記小径筒部と大径筒部とにおける軸線方向での外端面の各開口の内周縁に沿って、それぞれ所定間隔の切り溝で離隔され先端側が前記各開口よりも外側へ張り出し前記キャップ体やアレスタ本体の外周面に当接する複数の舌状片を列設することが好ましい。
【０００９】
更に、前記侵入防止片は連続して環状に設けられると共にその内周端縁に沿って所定の間隔離し複数の切欠を設け、前記軸線方向から投影した場合、前記各切欠は前記小径筒部と大径筒部との各切り溝よりも位置がずれていることが好ましい。
【００１０】
更にまた、前記各舌状片間に設けられる切り溝の奥端部は、前記小径筒部と大径筒部との周壁内面にまで達していることが好ましい。
【発明の効果】
【００１１】
本発明の請求項１に係るアレスタカバーは、小・大径筒部における他側端の切り離し部の両側にそれぞれ鍔片を延設し、いずれか一方の鍔片に複数の係合爪を列設した係合帯片を突設し、他方の鍔片に係合帯片が挿通されいずれかの係合爪と係合し得る係合孔を開設したので、係合帯片を係合孔に挿通すると共に係合爪の係合位置を変更することにより前記切り離し部の間隔が広挟自在に調整できることになる。よって、たとえ、アレスタのサイズが変わっても、前記係合帯片の係合爪の係合位置を変更することによりそのアレスタにしっかりと固定でき取付状態が安定するという効果がある。
【００１２】
本発明の請求項２に係るアレスタカバーは、前記小径筒部と大径筒部との間の内周面に沿って、内周端縁が前記キャップ体の外周面に当接して鳥が営巣のため運んでくる小枝や針金等の棒状物の充電部への侵入を防ぐ侵入防止片を周設した。よって、前記小枝や針金等の棒状物の侵入を防ぐ防護機能が向上する。
【００１３】
本発明の請求項３に係るアレスタカバーは、前記小径筒部と大径筒部とにおける軸線方向での外端面の各開口の内周縁に沿って、それぞれ所定間隔の切り溝で離隔され先端側が前記各開口よりも外側へ張り出し前記キャップ体やアレスタ本体の外周面に当接する複数の舌状片を列設した。よって、前記小枝や針金等の棒状物の侵入を防ぐ防護機能が一層向上する。
【００１４】
本発明の請求項４に係るアレスタカバーは、前記侵入防止片が連続して環状に設けられると共にその内周端縁に沿って所定の間隔離し雨水を排出するための複数の切欠が設けられる。そして、前記軸線方向から投影した場合、前記各切欠は前記小径筒部と大径筒部との各切り溝よりも位置がずれている。よって、たとえ、前記切り溝から前記小枝や針金の棒状物が内部に侵入しても、その先端が侵入防止片に当接し易くそのまま侵入することが困難となり、前記小枝や針金等の棒状物の侵入を防ぐ防護機能が一層向上する。
【００１５】
本発明の請求項５に係るアレスタカバーは、前記各舌状片間に設けられる切り溝の奥端部は、前記小径筒部と大径筒部との周壁内面にまで達している。よって、降雨時にアレスタカバー内に雨水が浸入しても、各切り溝の奥端部から容易に排出される。
【発明を実施するための最良の形態】
【００１６】
以下、本発明に係るアレスタカバーの実施の形態を図面に基づき説明する。図１は本発明に係るアレスタカバーの斜視図、図２は同開いた状態の斜視図である。アレスタカバーＡは、難燃性の合成樹脂材、例えば難燃性ポリエチレンにより成形され弾力性を備え、円筒状の小径筒部１とこれよりも太径でありかつ該小径筒部１に同一軸線上で連なる同じく円筒状の大径筒部２とからなる。
【００１７】
前記小径筒部１と大径筒部２はいずれも連通しており、しかも、小径筒部１の軸線方向での外端面が開口３し、大径筒部２の同方向での外端面も開口４している。そして、小・大径筒部１，２の周壁５における一側縁側に平坦な延設部６，６が設けられ、その一側縁に連なるようにして前記軸線と平行な筒状のヒンジ部７が設けられる。一方の延設部６の両端縁には、閉じたとき両延設部６，６間にできる隙間を塞ぐ閉塞片６ａ，６ａが屈曲して設けられる。周壁５の他側縁は切り離され、前記ヒンジ部７を中心として前記切り離し部８を自在に開閉できるようにしている。また、前記切り離し部８の両側にそれぞれ前記延設部６，６とほぼ同一面となる鍔片９，９が延設される。
【００１８】
前記一方の鍔片９に複数の係合爪１０，１０…をその一側面に列設した係合帯片１１が突設され、他方の鍔片９に前記係合帯片１１が挿通され前記いずれかの係合爪１０と係合し得る係合孔１２が開設されている。この係合帯片１１を係合孔１２に挿通すると共に係合爪１０の係合位置を変更することにより、切り離し部８の間隔が広挟自在に調整できるようになる。また、小径筒部１と大径筒部２との内周面であって前記係合帯片１１側の一側端縁１ａ，２ａに、それぞれこれらと向き合う他側端縁１ｂ，２ｂ側へ延びる被覆板１３，１４が突設される。
【００１９】
前記小径筒部１と大径筒部２との間の内周面に沿って、これらを閉めたとき環状となる侵入防止片１５，１５が周設される。これら各侵入防止片１５は半円弧状に成形され、互いに連続して環状をなす。そして、これら侵入防止片１５，１５は、その内周端縁が後記する充電部を覆うキャップ体３８の外周面に当接して鳥が営巣のため運んでくる小枝や針金等の棒状物の充電部への侵入を防ぐように機能する。また、各侵入防止片１５の内周端縁に沿って、所定の間隔離して複数の切欠１６が設けられる。各切欠１６は、周壁内面５ａにまで達している。
【００２０】
前記小径筒部１における外端面の開口３の内周縁に沿って、それぞれ所定間隔の切り溝１７で離隔して複数の舌状片１８が列設される。これら舌状片１８は、いずれもその先端側が開口３よりも外側へ張り出すようになっている。同様に、大径筒部２における外端面の開口４の内周縁に沿って、所定間隔の切り溝１９で離隔して複数の舌状片２０が列設される。これら舌状片２０も、先端側が開口４の外側へ張り出すようになっている。小径筒部１の各舌状片１８は端縁の中央部が窪んでいるが、大径筒部２の各舌状片２０は端縁の中央部が窪んでない。これは、キャップ体３８の外周面に接する小径筒部１側の各舌状片１８の方が、アレスタ本体３６ａの環状リブ３９間に入り込む大径筒部２側の舌状片２０よりも曲り具合が大きく、このため各舌状片１８がキャップ体３８の外周面にうまく接するようにその可撓性を調整するためである。また、前記いずれの切り溝１７，１９も、その奥端部が周壁５の内面５ａにまで達している。
【００２１】
本発明に係るアレスタカバーは上記構成からなり、次に該アレスタカバーＡが被着されるアレスタ３６について説明する。図３は電柱の上部を示す平面図である。図中、３０は電柱、３１は該電柱３０に水平に配置固定される腕金である。該腕金３１の先端部の両側に耐張碍子３２を介して電線３３，３３が架設される。また、腕金３１の下方に開閉器３４が配置される。そして、腕金３１下部の取付金具３５に複数のアレスタ３６が水平に突設して装着されている。この内、外側に位置するアレスタ３６の先端から引き出されるリード線３７ａが、前記電線３３から分岐されたリード線３７ｂと共に開閉器３４に接続される。
【００２２】
そこで、本発明に係るアレスタカバーＡは、図４、図５に示すようにアレスタ本体３６ａの前端部とキャップ体３８の後端部に亘るようにして被せられる。更に詳しく説明すると、大径筒部２における開口４の内周端縁に沿って列設された複数の舌状片２０が、アレスタ本体３６ａの前から２番目と３番目の環状リブ３９，３９間に位置する。また、小径筒部１における開口３の内周端縁に沿って列設された複数の舌状片１８がキャップ体３８の外周面に接し、更に、環状となる両侵入防止片１５，１５も、その内周端縁がキャップ体３８の外周面に接するように位置する。
【００２３】
この状態で、係合帯片１１を係合孔１２に挿通すると共にきつく引き、適宜位置の係合爪１０を係合孔１２に係合させる。これにより、大径筒部２の開口４の内周端縁の各舌状片２０が、開口４の外側へ開いた状態でアレスタ本体３６ａの外周面に当接する。同様に、小径筒部１の開口３の内周端縁の各舌状片１８も開口３から外側へ開いた状態でキャップ体３８の外周面に当接する。また、環状になる両侵入防止片１５，１５もキャップ体３８の外周面にきつく圧接することになる。また、両延設部６，６間の両端面が閉塞片６ａ，６ａにより塞がれる。
【００２４】
このように、本発明は係合帯片１１を係合孔１２に挿通すると共に係合爪１０の係合位置を変更することにより、切り離し部８の間隔が広挟自在に調整できる。すなわち、小・大径筒部１，２が自由に広げられる。よって、たとえ、アレスタ３６のサイズが変わっても、前記係合帯片１１の係合爪１０の係合位置を変更することにより、常にそのアレスタ３６に合わせてアレスタカバーＡがしっかりと固定できその取付状態が安定する。
【００２５】
また、図７に示すように前記小径筒部１と大径筒部２との間の内周面に沿って、内周端縁がキャップ体３８の外周面に当接して鳥が営巣のため運んでくる小枝や針金等の棒状物の充電部への侵入を防ぐ侵入防止片１５を周設したので、棒状物の侵入を防ぐ防護機能が向上する。
【００２６】
これに加え、図６、図８に示すように前記小径筒部１と大径筒部２とにおける外端面の各開口３，４の内周縁に沿って周設される舌状片１８，２０が、それぞれキャップ体３８の外周面やアレスタ本体３６ａの外周面に当接して、アレスタカバーＡとキャップ体３８との間の隙間及びアレスタ本体３６ａとの間の隙間がそれぞれ塞がれる。また、各閉塞片６ａによりアレスタカバーＡにおける延設部６，６間の隙間が塞がれる。更に、小径筒部１と大径筒部２とにおける切り離し部８の隙間は、各被覆板１３，１４により塞がれる。よって、アレスタカバーＡの外周の隙間が総て塞がれることになり、小枝や針金等の棒状物の侵入を防ぐ防護機能が一層向上する。
【００２７】
前記各侵入防止片１５の内周端縁に沿って設けられる複数の切欠１６は、前記軸線方向から投影した場合、小径筒部１と大径筒部２との各切り溝１７，１９よりも位置がずれている。よって、たとえ、前記切り溝１７，１９から小枝や針金の棒状物が軸線方向に沿って内部に侵入しても、その先端が侵入防止片１５に当接し易くそのまま侵入することが困難となり、前記棒状物の侵入を防ぐ防護機能が一層向上する。
【００２８】
前記各舌状片１８，２０間に設けられる切り溝１７，１９の奥端部は、小径筒部１と大径筒部２との周壁内面５ａにまで達しているので、降雨時にアレスタカバーＡ内に雨水が浸入しても、切り溝１７，１９の奥端部から容易に排出される。また、侵入防止片１５にも切欠１６が設けられ、雨水の排出機能が発揮できるようになっている。よって、その中に雨水が溜まって起きる短絡事故の危険性も回避される。
【００２９】
本発明にあっては、水平に配置されるアレスタ３６にアレスタカバーＡを被着した場合を説明したが、他に例えば腕金３１の上面に垂直に立設したアレスタ（図示せず。）にも本発明に係るアレスタカバーＡが適用できることは勿論である。
【図面の簡単な説明】
【００３０】
【図１】本発明に係るアレスタカバーの斜視図。
【図２】同開いた状態の斜視図。
【図３】電柱上のアレスタ部位を示す平面図。
【図４】アレスタにアレスタカバーを被着した状態の拡大側面図。
【図５】同側面断面図。
【図６】図５のＸ−Ｘ線断面図。
【図７】図５のＹ−Ｙ線断面図。
【図８】図５のＺ−Ｚ線断面図。
【符号の説明】
【００３１】
１            小径筒部
２            大径筒部
３            開口
４            開口
８            切り離し部
９            鍔片
１０          係合爪
１１          係合帯片
１２          係合孔
１３          被覆板
１４          被覆板
１５          侵入防止片
１６          切欠
１７          切り溝
１８          舌状片
１９          切り溝
２０          舌状片
Ａ            アレスタカバー
３６ａ        アレスタ本体
３８          キャップ体
【図１】
2007335246.tif 000003
【図２】
2007335246.tif 000004
【図３】
2007335246.tif 000005
【図４】
2007335246.tif 000006
【図５】
2007335246.tif 000007
【図６】
2007335246.tif 000008
【図７】
2007335246.tif 000009
【図８】
2007335246.tif 000010